(57)【要約】【課題】蛍光ランプ及び代替ランプの双方に対応可能なランプソケットを備えた照明器具及びそれを用いた照明システムを提供する。【解決手段】照明器具は、片口金蛍光ランプの口金、又は、片口金代替ランプ１の口金１１の何れかが着脱自在に装着されるランプソケット２を備える。片口金代替ランプ１の口金１１は、片口金蛍光ランプの口金と外形寸法が同寸法に設定されており、口金１１の底部には、ランプソケット２を介して供給される所定の電力を受電するための複数のランプピン１２，１３がランプソケット２側に突設されている。一方、ランプソケット２には、ランプピン１３が電気的に接続される給電端子４と、ランプピン１２が電気的に接続される給電端子３とが設けられている。【選択図】図１
2011249083.tif 000002
【特許請求の範囲】
【請求項１】
片口金蛍光ランプの口金、又は、前記片口金蛍光ランプの口金と外形寸法が同寸法に設定された片口金代替ランプの口金の何れかが着脱自在に装着されるランプソケットを備え、
前記片口金代替ランプの口金には、前記ランプソケットを介して供給される所定の電力を受電するための複数の第１のピンが設けられ、
前記ランプソケットには、前記片口金代替ランプの前記第１のピンが電気的に接続される第１の給電端子と、前記片口金蛍光ランプの口金に設けられた受電用の第２のピンが電気的に接続される第２の給電端子とが設けられていることを特徴とする照明器具。
【請求項２】
前記複数の第１のピンの１つが、前記口金において前記第２のピンと同じ位置に配置されていることを特徴とする請求項１記載の照明器具。
【請求項３】
前記口金において前記第２のピンと異なる位置に配置された前記第１のピンは、前記片口金代替ランプのランプ軸と重なるようにして配置されていることを特徴とする請求項１又は２記載の照明器具。
【請求項４】
請求項１〜３の何れか１項に記載の照明器具を複数備えていることを特徴とする照明システム。
【発明の詳細な説明】
【技術分野】
【０００１】
本発明は、照明器具及びそれを用いた照明システムに関するものである。
【背景技術】
【０００２】
従来より、蛍光ランプを用いた既存の照明器具に取付可能な代替ランプとして、消費電力の少ないＬＥＤ（発光ダイオード）を光源としたＬＥＤランプが提供されているが、このような代替ランプの取付方法は各メーカーで統一されておらず、また代替ランプへの対応方法についてもメーカーごとに様々であった。
【０００３】
このような照明器具では、代替ランプに対応させた後であっても蛍光ランプや他のメーカーの代替ランプに交換する場合が想定されるが、この場合不点灯などの不具合が生じる可能性があることから、そのまま装着できないように誤装着を防止する手段が必要であった。そこで、ランプの誤装着を防止するために専用の口金を用いたＬＥＤ照明装置が提案されている（例えば特許文献１参照）。
【先行技術文献】
【特許文献】
【０００４】
【特許文献１】特開２００４−３０９２９号公報（段落［００２５］−段落［００３５］、及び、第１図−第２図）
【発明の概要】
【発明が解決しようとする課題】
【０００５】
上述の特許文献１に示したＬＥＤ照明装置では、専用の口金を用いて蛍光ランプとの互換性をなくすことでランプの誤装着は防止できるものの、例えばＬＥＤランプから蛍光ランプに交換する際にはランプソケットの交換が必要であった。つまり、本従来例のランプソケットは、蛍光ランプ及びＬＥＤランプの双方に対応できるものではなかった。
【０００６】
本発明は上記問題点に鑑みて為されたものであり、その目的とするところは、蛍光ランプ及び代替ランプの双方に対応可能なランプソケットを備えた照明器具及びそれを用いた照明システムを提供することにある。
【課題を解決するための手段】
【０００７】
本発明の照明器具は、片口金蛍光ランプの口金、又は、片口金蛍光ランプの口金と外形寸法が同寸法に設定された片口金代替ランプの口金の何れかが着脱自在に装着されるランプソケットを備え、片口金代替ランプの口金には、ランプソケットを介して供給される所定の電力を受電するための複数の第１のピンが設けられ、ランプソケットには、片口金代替ランプの第１のピンが電気的に接続される第１の給電端子と、片口金蛍光ランプの口金に設けられた受電用の第２のピンが電気的に接続される第２の給電端子とが設けられていることを特徴とする。
【０００８】
この照明器具において、複数の第１のピンの１つが、口金において第２のピンと同じ位置に配置されているのが好ましい。
【０００９】
また、この照明器具において、口金において第２のピンと異なる位置に配置された第１のピンは、片口金代替ランプのランプ軸と重なるようにして配置されているのも好ましい。
【００１０】
本発明の照明システムは、上記の照明器具を複数備えていることを特徴とする。
【発明の効果】
【００１１】
蛍光ランプ及び代替ランプの双方に対応可能な照明器具及び照明システムを提供することができるという効果がある。
【図面の簡単な説明】
【００１２】
【図１】本実施形態の照明器具を構成する片口金代替ランプ及びランプソケットの分解斜視図である。
【図２】同上を構成する片口金代替ランプの外観斜視図である。
【図３】同上を構成するランプソケットの外観斜視図である。
【図４】同上を構成する別の片口金代替ランプの外観斜視図である。
【図５】同上を示し、（ａ）は下方から見た斜視図、（ｂ）は斜め下方から見た斜視図である。
【図６】同上を模式的に表した概略構成図である。
【発明を実施するための形態】
【００１３】
以下に、本発明に係る照明器具の実施形態を図１〜図６に基づいて説明する。本発明に係る照明器具Ａは、例えば図５に示すような天井埋込型のダウンライトであって、室内などの照明空間を照明するために用いられる。
【００１４】
本実施形態の照明器具Ａは、図５に示すように、取付状態における下面が開口し、開口端縁に鍔部５ａが一体に設けられた円筒状の反射板５と、後述する片口金代替ランプ１の口金１１が着脱自在に装着されるランプソケット２と、矩形板状の天板６とを備える。反射板５の上部には天板６が図示しない取付手段を用いて取り付けられており、また反射板５の内部にはランプソケット２が配設されている。また、天板６には、片口金代替ランプ１に所定の電力を供給する点灯装置７と、天井裏に先行配線された電源線（図示せず）が接続される電源端子台８とが取り付けられている。なお、電源端子台８と点灯装置７の入力端子との間は、図示しない電線により電気的に接続されている。
【００１５】
片口金代替ランプ１は、例えばＬＥＤ（発光ダイオード）を光源とするランプであって、図１及び図２に示すように、一端側（図２中の上側）が閉塞された直管状の発光管１０と、発光管１０の他端側に取り付けられ、ランプソケット２に着脱自在に装着される口金１１とで構成される。
【００１６】
口金１１は、例えば合成樹脂成型品からなり、厚みの薄い直方体状に形成された口金本体１１ａと、口金本体１１ａの底部に一体に設けられ、後述するランプソケット２の収納凹部２０ａ内に収納される挿入部１１ｂとで構成される。挿入部１１ｂの底部には、複数（図１では２本）のランプピン（第１のピン）１２，１３が突設されており、また挿入部１１ｂにおいて長手方向（図２中の左右方向）両側壁には、外方に突出する突出部１１ｃ，１１ｃがそれぞれ設けられている。
【００１７】
なお、発光管１０の内部には、複数のＬＥＤが実装されたプリント基板（図示せず）が収納されており、このプリント基板とランプピン１２，１３との間は図示しない電線により電気的に接続されている。そして、ランプピン１２，１３を介して供給された直流電力により複数のＬＥＤが発光することで片口金代替ランプ１が点灯するのである。また、後述する給電端子４に電気的に接続されるランプピン１３は、図２に示すように、口金１１においてランプ軸Ｐ１と重なるようにして配置されており、さらにランプピン１２は、口金１１において従来周知の片口金蛍光ランプ（図示せず）の口金に設けられたランプピン（第２のピン）と同じ位置に配置されている。
【００１８】
ランプソケット２は、図１及び図３に示すように、片口金代替ランプ１の口金１１が収納される収納凹部２０ａが上面側に設けられたソケット本体２３と、ソケット本体２３の底面側に配設され、片口金代替ランプ１をランプソケット２に装着させた際にランプピン１２，１３がそれぞれ電気的に接続される給電端子３，４とを備える。
【００１９】
ソケット本体２３は、例えば合成樹脂成形品からなり、図３における上面側（取付状態における下面側）に収納凹部２０ａを備えた横長の矩形箱状の口金収納部２０と、口金収納部２０の底面側に一体に設けられ、給電端子３，４を収納する収納凹部２１ａ，２１ｂを備えた端子収納部２１とで構成される。
【００２０】
口金収納部２０は、収納凹部２０ａの底部にランプピン１２が挿入される楕円形状のランプピン挿入孔２０ｂが複数（図３では４個）設けられるとともに、これらのランプピン挿入孔２０ｂの内側にはランプピン１３が挿入される円形のランプピン挿入孔２０ｃが設けられている。また、口金収納部２０の長手方向（図３中の左右方向）両側壁には、片口金代替ランプ１の口金１１に設けた突出部１１ｃ，１１ｃを挿通させるための挿通溝２０ｄ，２０ｄが、収納凹部２０ａに連続して設けられている。これらの挿通溝２０ｄは、それぞれ口金１１の回転中心に対して対角となる位置に設けられている。さらに、口金収納部２０の長手方向両側壁には、各挿通溝２０ｄに連続する係合溝２０ｅ（図３では一方のみ図示）が口金１１の回転方向に沿ってそれぞれ設けられている。また、口金収納部２０の外周面において各係合溝２０ｅと対応する部位には、各係合溝２０ｅに連続して開口する開口部２０ｆ（図３では一方のみ図示）がそれぞれ設けられている。なお、各係合溝２０ｅの内部には、片口金代替ランプ１をランプソケット２に装着させた際に口金１１の突出部１１ｃと係合する係止ばね（図示せず）がそれぞれ配置されている。
【００２１】
端子収納部２１は、図１に示すように、４つの給電端子３を収納するための収納凹部２１ａと、給電端子４を収納するための収納凹部２１ｂとが底面側（図１中の下面側）に設けられており、これらの収納凹部２１ａ，２１ｂの開口を閉塞するように裏カバー２２が取り付けられる。この裏カバー２２は矩形板状に形成され、各給電端子３，４に対応する部位には、点灯装置７から配線される後述の給電線Ｌ１，Ｌ２（図６参照）を挿入するための電線挿入孔２２ａがそれぞれ設けられている。なお、裏カバー２２は、適宜の取付手段を用いて端子収納部２１に取り付けられる。
【００２２】
給電端子（第２の給電端子）３は、例えば銅などの導電材料で形成され、上記のランプピン１２を挟持するためのコ字状の挟持片３０を有している。また、挟持片３０の下端部には、上記の給電線Ｌ２が接続される接続片３１が一体に設けられており、挟持片３０と接続片３１の差込口が互いに反対向きとなるように配置されている。なお、上記の給電線Ｌ２は、例えば半田を用いて対応する接続片３１に接続される。
【００２３】
給電端子（第１の給電端子）４は、給電端子３と同様に銅などの導電材料で形成され、上記のランプピン１３を挟持するためのコ字状の挟持片４０を有している。また、挟持片４０の下端部には、上記の給電線Ｌ１が接続される接続片４１が一体に設けられており、挟持片４０と接続片４１の差込口が互いに反対向きとなるように配置されている。なお、上記の給電線Ｌ１は、例えば半田を用いて対応する接続片４１に接続される。
【００２４】
ここで、図６は本実施形態の照明器具Ａを模式的に表した概略構成図であり、上述した片口金代替ランプ１に対応可能であるとともに、従来周知の片口金蛍光ランプにも対応可能となっている。具体的に説明すると、図中の点灯装置７は、片口金代替ランプ１に供給される直流電力を生成する直流電源回路や、片口金蛍光ランプに供給される所定の高周波電力を生成するインバータ回路などで構成されており、点灯装置７とランプソケット２との間が給電線Ｌ１，Ｌ２により電気的に接続されている。
【００２５】
さらに詳述すると、片口金蛍光ランプが接続される場合には、上記のインバータ回路の出力端と各給電端子３との間が給電線Ｌ２により接続される。また、片口金代替ランプ１が接続される場合には、上記の直流電源回路の一方の出力端と給電端子４との間が給電線Ｌ１により接続されるとともに、直流電源回路の他方の出力端と給電端子３との間が給電線Ｌ２により接続される。つまり、本実施形態では、片口金代替ランプ１を使用する場合、４つの給電端子３のうちの何れか１つが給電端子として用いられるのである。
【００２６】
次に、片口金代替ランプ１をランプソケット２に装着する手順について説明する。口金１１の挿入部１１ｂに設けた各突出部１１ｃをそれぞれ対応する挿通溝２０ｄに挿入するとともに、挿入部１１ｃを収納凹部２０ａ内に挿入する。このとき、ランプピン１３は、収納凹部２０ａの底部に設けられたランプピン挿入孔２０ｃから収納凹部２１ｂ内に挿入されて、給電端子４の挟持片４０に接続されるが、ランプピン１２は、対応する給電端子３に接続されていない。この状態から口金１１をランプ軸Ｐ１回りに所定の方向に回転させると、各突出部１１ｃが対応する係合溝２０ｅ内を移動し、対応する係合ばねと係合したところで取り付けが完了する。このとき、ランプピン１２は、口金１１とともに回転して対応する給電端子３の挟持片３０に接続される。したがって、この場合、ランプピン１２，１３が接続された給電端子３，４を介して点灯装置７から所定の直流電力が供給されることになる。
【００２７】
また、片口金蛍光ランプについても同様の手順を経てランプソケット２に装着されるため、手順については省略するが、片口金蛍光ランプの場合、口金に設けられた４本のランプピンがそれぞれ対応する給電端子３に接続され、これらの給電端子３を介して点灯装置７から所定の高周波電力が供給されることになる。
【００２８】
ところで、片口金蛍光ランプにのみ対応させた照明器具では、片口金代替ランプ１の口金１１に設けたランプピン１３を挿通させるランプピン挿通孔がランプソケットに設けられていないため、片口金代替ランプ１を装着することはできず、したがって誤装着を防止することができる。
【００２９】
次に、本実施形態の照明器具Ａの施工手順について、図５を参照しながら説明する。天井面に設けた埋込孔（図示せず）を介して天井裏に照明器具Ａを配設した後、図示しない取付ばねと鍔部５ａとの間で天井材を挟持させると照明器具Ａが天井面に取り付けられる。そして、下側から片口金代替ランプ１を反射板５内に挿入し、片口金代替ランプ１の口金１１をランプソケット２に装着させると、照明器具Ａの施工が完了する。なお、片口金蛍光ランプについても、同様の手順を経て施工される。
【００３０】
而して、本実施形態によれば、片口金蛍光ランプが接続された場合には当該片口金蛍光ランプの口金に設けられたランプピン（第２のピン）を介して高周波電力を供給することができ、片口金代替ランプ１が接続された場合にはランプピン（第１のピン）１２，１３を介して所定の電力を供給することができるので、片口金蛍光ランプ及び片口金代替ランプ１の双方に対応可能な照明器具Ａを提供することができる。また、本実施形態のように、片口金蛍光ランプのランプピンと同じ位置にランプピン１２を配置した場合には、片口金蛍光ランプのランプピンを流用することが可能であり、その結果、給電用の第１のピンが少なくて済むという利点がある。さらに、本実施形態のように、ランプ軸Ｐ１と重なるようにランプピン１３を配置した場合には、片口金代替ランプ１をランプソケット２に装着させる際に回転させてもランプピン１３は動かないため、ランプソケット２の設計が容易になるとともにコンパクト化を図ることができる。
【００３１】
なお、本実施形態では、２本のランプピン１２，１３のうちランプピン１３のみが片口金蛍光ランプのランプピンと異なる位置に配置されているが、例えば図４に示すように２本のランプピン１３，１３ともに片口金蛍光ランプのランプピンと異なる位置に配置してもよい。この場合、片口金蛍光ランプのランプピンと同じ位置に配置されるランプピン１２は不要になる。つまり、この場合、２本のランプピン１３，１３により所定の直流電力が供給されることになる。
【００３２】
また、本実施形態では、照明器具Ａがダウンライトの場合を例に説明したが、例えば天井取付型のものや壁面取付型のものなどであってもよく、本実施形態に限定されるものではない。さらに、本実施形態では、片口金代替ランプ１の光源としてＬＥＤを用いた場合を例に説明したが、例えば白熱灯などであってもよく、本実施形態に限定されるものではない。
【００３３】
ここにおいて、上述した照明器具Ａを複数用いた場合には、蛍光ランプ及び代替ランプの双方に対応可能な照明システムを提供することができる。
【符号の説明】
【００３４】
１  片口金代替ランプ
２  ランプソケット
３  給電端子（第２の給電端子）
４  給電端子（第１の給電端子）
１１  口金
１２，１３  ランプピン（第１のピン）
【図１】
2011249083.tif 000003
【図２】
2011249083.tif 000004
【図３】
2011249083.tif 000005
【図４】
2011249083.tif 000006
【図５】
2011249083.tif 000007
【図６】
2011249083.tif 000008